(57)【要約】【課題】  トルマリンが固定されないスポンジとの結合方法を求めた。また、各種トルマリン利用の素材、器具、装置に利用できるトルマリンが固定されずに中にあるスポンジを求めた。【解決手段】１  孔を設けたスポンジ板の両面に別のスポンジ等が貼り合わせられ、孔による内部空洞  にトルマリンの粒粉が充填されているトルマリン体。２  スポンジ箱体の内部にトルマリンの粒粉があるトルマリン体。３  粒粉体が充填されたスポンジ体。４  トルマリン体を利用した、マッサージ具、ゲームの駒、スポンジ玩具、室内用建材、  電気掃除機、食品容器、マットレス、当て  パッド、電磁波防止材、剣山、靴の中敷。  脱臭抗菌材剤、食品置  具、座布団用詰物、寝具用のスポンジ、美容液染み込ませ用ス  ポンジ、化粧用パフ、水質浄化用スポンジ、スノコ、園芸用トルマリン具、空気清浄用  トルマリン材、歯茎マッサージ具、食器洗い等。【選択図】図１
2005254788.tif 000002
【特許請求の範囲】
【請求項１】
孔を設けたスポンジ板の両面に別のスポンジ等が貼り合わせられ、孔による内部空洞にトルマリンの粒粉が充填されていることを特徴とするトルマリン体。
【請求項２】
孔を設けたスポンジ板の両面に別のスポンジ等が貼り合わせられ、孔による内部空洞にトルマリンの粒粉が充填されているトルマリン体において、貼り合わせた両面の少なくとも片面が粘着性または自己粘着性の素材であることを特徴とする「請求項１」記載に係わるトルマリン体。
【請求項３】
スポンジ板に複数の孔をあける。次に片面を別のスポンジを貼り生じた穴にトルマリンの粒粉を充填し残る片面にスポンジ板を貼る。必要に応じトルマリンの粒粉部毎に切断する。以上の構成を特徴とするトルマリン体の製造方法。
【請求項４】
多数の穴があるスポンジ板の穴にトルマリンの粒粉が充填されて、穴面がスポンジ等で貼り合わせられいることを特徴とするトルマリン体。
【請求項５】
孔を設けたスポンジ板の片面に別のスポンジ等の貼り合わせによって得たスポンジ蓋と孔を設けたスポンジ板の片面に別のスポンジ等の貼り合わせによって得たスポンジ容器を填合したスポンジ箱体の内部にトルマリンの粒粉があることを特徴とするトルマリン体。
【請求項６】
セラミック、角閃石、大谷石、菊花石、麦飯石、ゼオライト、医王石、放射線作用石、酸化チタンなどの微粉末を含むスポンジを利用したことを特徴とする「請求項１」、「請求項２」「請求項３」、「請求項４」、「請求項５」記載に係わるトルマリン体。
【請求項７】
孔を設けたスポンジ板の両面に別のスポンジ板が貼り合わせられ、孔による内部空洞に活性炭、竹炭、備長炭、セラミック、角閃石、大谷石、菊花石、麦飯石、ゼオライト、医王石、放射線作用石、酸化チタン、金粉などの粒粉体が充填されていることを特徴とする活性炭などの充填されたスポンジ体。
【請求項８】
「請求項１」または「請求項２」または「請求項４」または「請求項５」または「請求項６」記載のスポンジ内部空洞にトルマリンの粒粉が充填されているトルマリン体を利用した、足踏み健康器具，マッサージ具，ゲームの駒，スポンジ玩具，トルマリンスポンジ入り家具，室内用建材，電気掃除機，食品容器，マットレス，当てパッド，電磁波防止材，剣山，靴の中敷，脱臭抗菌材剤，頭髪用キャップ器具，食品置具，座布団用詰物，寝具用のスポンジ，美容液染み込ませ用スポンジ，化粧用パフ，水質浄化用スポンジ，風呂水用トルマリン，スノコスポンジ，園芸用トルマリン具，詰物スポンジ，空気清浄用トルマリン材，歯茎マッサージ具，食器洗いスポンジの中から選択される器具や素材や装置。
【発明の詳細な説明】
【技術分野】
【０００１】  本発明はスポンジの内部空洞にトルマリンを入れたトルマリン体及びこれの製造法に関する。又、内部空洞に石類を入れスポンジ体、トルマリン体応用商品の発明に関する。
【背景技術】
【０００２】  トルマリンは電気石とも呼ばれる。マイナスイオンや遠赤外線、微弱電流発生、ホウ素供給源などの特徴を持つ。黒色が多いがあらゆる色がある。このため研摩やカットして宝飾品にもなる。我が国にも存在するが産出量は少なく、主にブラジルや中国から輸入される。構造特性があり、温度変化や圧力などにより微弱な電流を発生する。電圧は何万ボルトもあるが、瞬時に水の分解に消費されると考えられている。湿気などを分解し空中にマイナスイオンを発生させる。遠赤外線放出作用やホウ素供給源などに利用されている。温度が高くなれば電流発生やマイナスイオン量も増加するが、８００度以上の高温で処理すると構造特性が失われる。【０００３】  トルマリンは特異な作用があり工業や農業はもとより、健康、公害防止、消臭、抗菌、美容、痩身、医療、害虫駆除などに広く利用されている。トルマリンを布や糸やプラスチックなどに縫製や糸練り込み、染め式で含有させた素材で座蒲団や寝具に利用されている。安眠と血液サラサラ効果が言われている。冷蔵庫に石を袋にいれた製品を入れて鮮度保持や食品水分が細かくなりおいしさを増やすといわれている。岩石を風呂に入れて水を軟らかくしサラサラ効果、塩素処理効果などが言われている。トルマリン温泉施設も増加している。繊維に練り込んだものは携帯電話の周辺商品や帽子に利用され電磁波防止が言われている。洋服ダンスや下駄箱に石をそのまままたは袋にいれいれて、マイナスイオン効果や脱臭効果があるといわれている。ダイエット効果は、トルマリン粉を美容液に混ぜて塗れば、体温がトルマリンの微弱電流で２度程上がり、それにより毛穴が開き汗が出て細分化した水分などが入りその結果痩身効果があると考えられている。【０００４】  微粉末は入浴剤やシャンプーや石鹸美容液など多方面に利用されている。園芸では鉢に粉など入れてマイナスイオン化や毛根電流刺激やホウ素で植物健康化や促成巨大化が言われている。塗料に練り込み塗装しマイナスイオン効果のある商品を生産されている。壁紙には接着剤混合で利用されマイナスイオン効果の空間を実現されている。廃棄物処理では微生物の着床部にマイナスイオンで汚れを分解促進効果が言われている。海苔などの水産物の処理では味の向上が言われている。和紙には、すきこんだり塗布も提案されている。【０００５】  昆虫飼育、特に甲虫飼育においてエサに混入し巨大化や促成化することも提案されている。茸の培養地にトルマリン混合し巨大化や促成化栽培も提案されている。
筆記具のインクに粉を混合しマイナスイオン効果が言われている。ラベル等に石や粉を貼り肩こり緩和に使用する。テープの粘着部に粉を混ぜてマイナスイオン効果のあるテープも多い。セラミックとの混合や低温焼成し料理用具も多い。
薬石たとえば麦飯石と無機バインダーで混合した炊飯器に中にいれるおいしい御飯炊き用具も多い。ナイロンとの練り込みは肌着靴下など、歯みがきブラシの毛等にも利用されている。【０００６】  また個室空間、筒、巨筒などの内部をトルマリンで覆うことも本発明者は研究した。トルマリンで碁石やゲーム用具の駒を製造することも本発明者は研究した。アクリルスポンジの如く自己粘着スポンジの下にトルマリン粉末を入れ駒や碁石に打ち抜くことも本発明者は研究した。【０００７】      トルマリンにセラミックや角閃石、大谷石、菊花石、麦飯石、ゼオライト、医王石、放射線作用石、酸化チタン、金粉等を混合し、トルマリンに刺激活性化しマイナスイオン発生量を増加する報告もある。また茸粉末との混合もある。茸はカバナアナタケ、ヤマブシタケ、レイシ、アガリクスなどの薬茸である。トルマリンと活性作用のある粉を混合する提案は多い。熱や振動、風圧、遠赤外線、ラジウム放射線、未知の波動などのエネルギーがトルマリンを活性する作用がある。活性トルマリンはマイナスイオン生成量を増加する。金箔加工で下地にトルマリン微粉末を混入することも本発明者は提案した。布地にトルマリン泥水をドブ漬けし乾燥処理においてセラミック微粉末を泥水にあらかじめいれるか、バインダーの中にいれ布地トルマリン加工することを本発明者は提案した。【０００８】  スポンジはクッション材、梱包、断熱、保温、防音、防振などに利用される。スポンジはウレタンやポリエチレン、アクリル、スチレン、メラミン、天然物系など多くの種類がある。連続気泡と独立気泡の区別がある。産業用は気泡が荒いが、化粧用はキメ細かく肌刺激もない。スポンジは上記の機能があるので建材、たわし、すのこ、家具、寝具、車両、美容、化粧、健康など多方面の用途に利用されている。【０００９】  本発明者はスポンジとトルマリンを組み合わせを研究した。スポンジをトルマリン微粉末を水に溶かした泥水にドブ漬乾燥する方法や、泥水をスポンジ空隙への流し込み方法などでのスポンジトルマリンの製造も成功した。泥水に糊やバインダーを混入する方法も実施した。また、スポンジ２枚の間に両面粘着シートを貼り中にトルマリン粉末や粒を貼る方法も研究実施した。【００１０】  以上を評価すれば、スポンジにトルマリンとバインダー混合物塗布の方法は液体処理と乾燥で手間がかかる。両面粘着シートを利用しトルマリンをスポンジに貼る方法はトルマリンが石のため十分粘着せず剥がれる。またトルマリンが固定される問題もある。トルマリンは振動圧力で熱変化で電気発生するので固定は好ましくない。接着材を使用しスポンジにトルマリンを固めるのは表面が覆われ空中の水分と反応しない問題や固定の弊害がある。
調査した特許文献ではスポンジにトルマリン混合したバインダー塗布やトルマリン混合発泡成形、接着剤で固定などが提案されている。
【特許文献１】特開平１１−０３２９３７
【特許文献２】特開平１１−００４７１３
【特許文献３】特開平１０−２９６８９３
【特許文献４】特開平０９−２９８９６４
【特許文献５】特開平０９−１３６３８３
【特許文献６】特開２０００−００５０８６
【特許文献７】特開２００２−０９７７９
【特許文献８】特開２００３−０４８９７
【特許文献９】特開２００３−３４２５９
【特許文献１０】特開２００３−１１１８５３
【特許文献１１】特開２００３−７２０００
【特許文献１２】特開２００４−００８７６６
【特許文献１３】特開２００４−９５６３
【特許文献１４】実用新案登録第３０８２６２３
【特許文献１５】実用新案登録第３０８４６３４
【発明の開示】
【発明が解決しようとする課題】
【００１１】  簡単に工業的なトルマリンをスポンジの中に入れる方法を求めた。接着剤や発泡成形などでなく、トルマリンが固定されないスポンジとの結合方法を求めた。【００１２】  また、各種トルマリン利用の素材、器具、装置に利用できるトルマリンが固定されずに中にあるスポンジを求めた。
【課題を解決するための手段】
【００１３】  上記課題を解決するための手段は下記になる。
原板を打ち抜き貼合わせて穴にするか、あらかじめ穴がある発泡成形したスポンジの穴にを内部空洞とし、ここにトルマリンの粒粉を充填し穴を塞ぐように貼りものをしてトルマリン体を得ればよい。【００１４】  型製作はコストがかかるので、通常はスポンジ板に孔を打ち抜く。下面に別のスポンジ等で貼り物をし、孔を穴にする。穴にトルマリンを詰める。詰めた穴をさらに別のスポンジ等で貼りもので塞ぐ。すると両面を貼り合わせた通気性素材の板中にトルマリンの粒粉が充填される。これをトルマリンがこぼれないように縦横に切断する。これによりトルマリンを内部に含む板状物を得ることができる。【００１５】  型にいれて発泡成形は図３のような形状にするのがよい。この場合貼り合わせを省略するために孔でなく穴にしてもよい。発泡物にトルマリンを含むとマイナスイオン効果の増大ができる。【００１６】  また、角閃石やセラミック等のトルマリンを活性化する微粉末を発泡物にあらかじめ入れておくと内部空洞トルマリンが刺激されトルマリン効果を増加する。【００１７】本発明を図面と符号で説明する。図１は本発明の側面図である。図２は請求項４に係わる本発明の側面図である。図３は製造工程の説明平面図である。図４は本発明の産業上利用の説明斜視図である。
符号の１はスポンジ、２はスポンジ、３スポンジ、４は孔、５はトルマリン、６と７は貼る手段であり、８はその他の粉粒体である。
１１はスポンジ蓋、１２はスポンジ容器、１３はスポンジ箱体である。
また、２０、２１、２２、２３はスポンジ板である。さらに３０と３１は孔である。５１は粒粉部、１００は原反である【００１８】  図１においてスポンジ板１に孔４がある。下面にスポンジ２、上面にスポンジ３がある。孔４にはトルマリン５が充填されている。スポンジ１とスポンジ２は貼る手段６で一体化される。スポンジ１とスポンジ３は貼る手段７で一体化される。以上により孔４を設けたスポンジ板１の両面に別のスポンジ等が貼り合わせられ、孔４による内部空洞にトルマリン５の粒粉が充填されていることを特徴とするトルマリン体である。【００１９】  貼る手段６や７は両面テープが作業しやすい。スポンジ縁に接着剤を塗布したり、シール利用した熱融着等でもよい。【００２０】  孔４に充填するトルマリン５は粒や粉を選択する。
トルマリン５は活性炭や竹炭、備長炭、その他の粉粒体８などに置き換えてもよい。トルマリン５とその他の粉粒体８と混合してもよい。その他の粉粒体８を例示すれば、セラミック、角閃石、大谷石、菊花石、麦飯石、ゼオライト、医王石、放射線作用石、酸化チタン、金粉などである。【００２１】  スポンジ２とスポンジ３は他の素材に替えてもよい。他の素材はたとえば紙、アルミフイルム、ベニヤ、皮革、布、不織布などである。【００２２】  請求項２記載のようにスポンジ２を粘着性または自己粘着性の物にしてもよい。すると本発明品を壁面に取り付けできる。たとえば、スポンジ２に粘着性テープを貼ればスポンジに粘着性を付与できる。
図１においてスポンジ２をアクリルスポンジなどの自己粘着性スポンジにすれば何回も粘着剥離ができる。アクリルスポンジは膚刺激性がないので本発明品を健康産業に利用するときに好ましい。【００２３】  図２はスポンジ蓋１１とスポンジ容器１２からなるスポンジ箱体１３の内部にトルマリン５の粒粉がある請求項５記載のトルマリン体を示す。
製造方法は、スポンジ板２０に孔３０をあけ、片面にスポンジ板２１を貼りスポンジ蓋１１を製造する。別のスポンジ板２２に孔３１をあけ、片面にスポンジ板２３を貼りスポンジ容器１２を製造する。このスポンジ蓋１１とスポンジ容器１２を組み合わせる。【００２４】  スポンジは弾力性がある。このためスポンジ蓋１１をスポンジ容器１２に押圧で一体化できる。【００２５】  図３は請求項３記載に係わる説明図である。
図の如くスポンジ１（スポンジ原板１００）に複数の孔４をあける。
次に片面を別の原板サイズのスポンジ２を貼ると孔は穴になる。この穴にトルマリンの粒粉を充填し、残る片面に原板サイズのスポンジ板３を貼る。必要に応じトルマリンの粒粉部５１毎に切断する。このままで建材やマットレスなど大きい商品に利用もできる。【００２６】  図３は請求項４記載に係わる説明図にもなる。
図の如くスポンジ１（スポンジ原板１００）にあらかじめ穴があるように製造する。
この穴にトルマリンの粒粉を充填し、上面に原板サイズのスポンジ板３を貼る。必要に応じトルマリンの粒粉部５１毎に切断する。このままで建材やマットレスなど大きい商品に利用もできる。【００２７】  図４は本発明の産業上利用の説明図である。Ａは四角体の商品説明図である。Ｂは顔等の円形体商品説明図である。Ｃは流体へ利用などの筒体商品を説明図である。
図４のＡの四角体は小さいものは手指で握るマッサージ具になる。トルマリン砂を揉むことによりマイナスイオンが手指付近に充満する。化粧水や美容液を染み込ませ化粧や美容用スポンジとしても商品化できる。各種マイナスイオン水での洗浄用スポンジにもなる。やや大きいものはマイナスイオン発生足踏み台になる。さらに大きいものはマットレスやスノコなどにも利用できる。
足踏み健康器具、たたみ素材、室内用建材、マットレス、手指にぎりの健康器具、壁面貼材、電磁波防止材、剣山、靴の中敷などもこのような形で利用可能である。
トイレや洋服ダンス及び冷蔵庫、下駄箱に置く脱臭抗菌材剤。食品置具、
座布団用詰物、寝具用のスポンジ、車両座席用スポンジ、美容液染み込ませ用スポンジ、化粧用パフ、園芸用トルマリン具、、廃棄物処理スポンジ、農業用トルマリン具、抱き人形などの詰物スポンジ、抱き枕詰物スポンジ、保温具、クッションもこのような四角体で利用できる。【００２８】  図４のＢは顔等の円形体商品説明図である。目鼻の部分に孔があるようにしたものである。専用のスポンジで製造すればよい。または小さな形状の本発明品をこの形の袋中にいれてもよい。乳当てなどもできる。変形品は腹当て肩当て局部当てなど各種変化できる。【００２９】  図４のＣは板を丸めて筒体にしたものを示す。通気や通水する際に空中の水分などと反応しマイナスイオンやトルマリン効果の作用を行う筒になる。水処理、空気清浄化ばかりでなく、小さいものは指や腕を入れる健康用具になる。
室内の空気取り入れ筒体に利用し清浄化ばかりでなく、排気処理にも応用できるたとえば、エアコンの廃熱空気をマイナスイオン化した空気にもできる。農業では温室内に入れる空気の導入口などにも応用できる。水質浄化用スポンジ、掃除機などの排気口、電磁波防止材、空気清浄用トルマリン材などに応用できる。
指や腕等を入れてトルマリン効果やマイナスイオン効果を人体に与えることができる。【００３０】  図５は本発明を利用した商品の説明図である。Ａは柄をつけた商品説明図である。
柄を付けた形状はマッサージ具、歯茎マッサージ具、打撃用トルマリン棒具、頭髪刺激用叩き具に利用できる。【００３１】  Ｂはゲームの駒の説明図である。中にトルマリンがある。表面は自己粘着のアクリルスポンジが好ましい。円形は美容液染み込ませ用スポンジ、化粧パフ、食器洗い、詰め物用などにも応用できる。【００３２】  Ｃは玩具の中にいれた説明図である。詰め物として利用であり、抱き締めるとマイナスイオン効果を得られる。トルマリンの重量とスポンジクッション性が抱き人形などの詰物スポンジ、抱き枕詰物スポンジなど詰め物によい。【００３３】  Ｄは履物への応用説明図である。靴の中敷などで、靴中にマイナスイオン効果が出る。【００３４】  構成は下記になる。
１  孔を設けたスポンジ板の両面に別のスポンジ等が貼り合わせられ、孔による内部空洞にトルマリンの粒粉が充填されていることを特徴とするトルマリン体。
２  孔を設けたスポンジ板の両面に別のスポンジ等が貼り合わせられ、孔による内部空洞にトルマリンの粒粉が充填されているトルマリン体において、貼り合わせた両面の少なくとも片面が粘着性または自己粘着性の素材であることを特徴とする「請求項１」記載に係わるトルマリン体。
３  スポンジ板に複数の孔をあける。次に片面を別のスポンジを貼り生じた穴にトルマリンの粒粉を充填し残る片面にスポンジ板を貼る。必要に応じトルマリンの粒粉部毎に切断する。以上の構成を特徴とするトルマリン体の製造方法。
４  多数の穴があるスポンジ板の穴にトルマリンの粒粉が充填されて、穴面がスポンジ等で貼り合わせられいることを特徴とするトルマリン体。
５  孔を設けたスポンジ板の片面に別のスポンジ等の貼り合わせによって得たスポンジ蓋と孔を設けたスポンジ板の片面に別のスポンジ等の貼り合わせによって得たスポンジ容器を填合したスポンジ箱体の内部にトルマリンの粒粉があることを特徴とするトルマリン体。
６  セラミック、角閃石、大谷石、菊花石、麦飯石、ゼオライト、医王石、放射線作用石、酸化チタンなどの微粉末を含むスポンジを利用したことを特徴とする上記記載の１、２、３、４、５のトルマリン体である。
７  孔を設けたスポンジ板の両面に別のスポンジ板が貼り合わせられ、孔による内部空洞に活性炭、竹炭、備長炭、セラミック、角閃石、大谷石、菊花石、麦飯石、ゼオライト、医王石、放射線作用石、酸化チタン、金粉などの粒粉体が充填された活性炭などの充填されたスポンジ体。
８  上記１または２または４または５または６記載のスポンジ内部空洞にトルマリンの粒粉が充填されているトルマリン体を利用した、足踏み健康器具，マッサージ具，ゲームの駒，スポンジ玩具，トルマリンスポンジ入り家具，たたみ素材，室内用建材，電気掃除機，食品容器，マットレス，胸当てパッド，腹当て具や腰当て具，美顔用器具，手指にぎりの健康器具，壁面貼材、電磁波防止材，剣山，靴の中敷，トイレや洋服ダンス及び冷蔵庫，下駄箱に置く脱臭抗菌材剤，頭髪用キャップ器具，食品置具，座布団用詰物，寝具用のスポンジ、車両座席用スポンジ，美容液染み込ませ用スポンジ，化粧用パフ，水質浄化用スポンジ，風呂水用トルマリン，スノコスポンジ，園芸用育成具，園芸用トルマリン具，廃棄物処理スポンジ，農業用トルマリン具，抱き人形などの詰物スポンジ，抱き枕詰物スポンジ，保温具，クッション，空気清浄用トルマリン材，打撃用トルマリン棒具，衣料用トルマリン具，トルマリン入りシート，歯茎マッサージ具，食器洗いスポンジの中から選択される器具や素材や装置。
【発明の効果】
【００３５】  請求項１記載の効果はトルマリンが中にあるスポンジが得られる。スポンジの中にトルマリンは充填なので接着や混練などの方式のように固定されていない。スポンジを圧したり振れば摩擦でマイナスイオンを出しやすい。スポンジは弾力性があり中のトルマリンに圧力を与えることが容易である。手で握る健康具や足踏みマイナスイオン健康用具を作りやすい。
板材で壁面に利用した時には多数の孔でトルマリンがスポンジに均一に分散されている。【００３６】  請求項２記載の効果は（請求項１記載の）トルマリンが中にある貼れるスポンジが得られる。自己粘着性であれば壁面などに何回も貼ったり剥がせる。【００３７】  請求項３記載の効果はトルマリンを接着や練りなどの複雑な方法でなく、充填という簡単な工程でスポンジにトルマリンを含ませる製造方法を提供できる。トルマリンは接着剤などで固定されない。小さな物は孔毎の切断で得られる。壁面建材などにはそのままで得られ、トルマリンがスポンジに均一に分散されている。【００３８】  請求項４記載の効果は請求項１記載の効果と同じである。あらかじめ穴なので製造工程が簡単である。【００３９】  請求項５記載の効果は、請求項１記載の効果と同じである。これに加えスポンジの弾性を利用した蓋と容器で押し込み密着ができる。中のトルマリンを自由に詰め替えや変更も可能である。【００４０】  請求項６記載の効果はスポンジにあらかじめトルマリン刺激物質があるのでトルマリンの効果を高めることができる。【００４１】  請求項７記載の効果はスポンジ内部に各種の粒粉体を含有できる。建材などに利用したときにマイナスイオン効果ばかりでなく脱臭作用のある壁面などが得られる。水処理や風呂水処理でスポンジ板を入れるだけで薬石などの効果を得られる。
【応用した商品への効果】
【００４２】  請求項８記載の効果は、トルマリン利用の素材、器具、装置に使用されるスポンジにおいて、トルマリンが中に固定されずにあり、マイナスイオン効果を高めることができる。
足踏み健康器具や手指にぎりの健康器や歯茎マッサージ具その他のマッサージ具、身体打撃用トルマリン棒具、靴の中敷では踏んだり振動圧力でトルマリンにエネルギー伝わりマイナスイオンが多く出やすい。
【００４３】  トルマリン入リシートはスポンジのシートにトルマリンがあり保温性やクッション性とマイナスイオン効果がある。
【００４４】  ゲームの駒やスポンジ玩具では手指でつまむごとにまたは抱き締めるとマイナスイオンが出るので健康によい。自己粘着スポンジ利用すれば紙やビニルなどに貼り遊べる。
【００４５】  胸当てパッド、腹当て具、腰当て具、美顔用器具、頭髪用キャップ器具などは体温と身体の水分によりマイナスイオンが発生し身体に良い。身体に当てた部分マイナスイオンが作用する。遠赤外線や微弱電流作用もある。衣料用トルマリン具では衣服や下着にトルマリン入りスポンジを入れればマイナスイオン効果がある。
【００４６】  抱き人形などの詰物スポンジ、抱き枕詰物スポンジ、保温具、クッション、座布団用詰物、寝具用のスポンジ、車両座席用スポンジ、トルマリンスポンジ入り家具、マットレスはスポンジの弾力保温防音とマイナスイオン効果がある。
【００４７】  排気口にトルマリン体をつけれた電気掃除機はトルマリンで排気処理ができる。通風孔した空気清浄用トルマリン材はマイナスイオン効果を空気に与える。
【００４８】  園芸用育成具、園芸用トルマリン具、農業用トルマリン具、剣山は水に溶けるホウ素やマイナスイオンで植物に良い。剣山はトルマリンが重みになるスポンジとなる。
【００４９】  トイレや洋服ダンス及び冷蔵庫、下駄箱に置く脱臭抗菌材剤としてはトルマリンが中にあるスポンジなので置くだけでなく貼ったりできる。
【００５０】  食品容器、食品置具、冷蔵庫ではマイナスイオン効果と水分細分化効果で鮮度保持味の向上がある。
【００５１】  廃棄物処理スポンジ、水質浄化用スポンジとしてはスポンジに微生物が付着しトルマリンのマイナスイオン効果などが相乗効果をもたらす。
【００５２】  美容液染み込ませ用スポンジや化粧用パフ及び食器洗いはトルマリンにより美容液化粧液の水分が細かくなり膚に染み込みやすい。
【００５３】  風呂水用トルマリンは従来の小石をネットやバケツにいれ浴槽に沈めていたがスポンジになればちらばらなくなる。
【００５４】  電磁波防止材ではトルマリンが固定されていないので効果を高めることができる。スポンジなので対象物を被覆しやすい。
【００５５】  たたみ素材、室内用建材、壁面貼材、スノコスポンジは、発泡スチロールや発泡ウレタンなどの保温性防音性を利用しマイナスイオン効果も付与できる。
【発明を実施するための最良の形態】
【００５６】  スポンジ板の厚みは１から２００ミリが好ましい。打ち抜く孔の大きさは縦横共に１ミリから１００ミリが好ましい。スポンジ同士の貼り合わせは画面粘着テープが簡単である。トルマリンはスラッジから微粉末が充填によい。孔穴の大きさで充填を調整する。スポンジ種類はクッション性があり通気性のあるものを用途により適宜選択する。
【実施例１】
【００５７】  図１を参考に説明する。図の如くスポンジ板１を横３０ミリ縦８０ミリ、厚み１０ミリウレタンスポンジにする。これに横２０ミリ縦５０ミリの孔４を設ける。  スポンジ２として横３０ミリ縦８０ミリ、厚み３ミリアクリルスポンジにする。これを図の如く貼る手段６（両面テープ）で貼る。すると内部空洞である穴が生じる。この穴に３２５メッシュアンダーのトルマリン５を充填する。
次に横３０ミリ縦８０ミリ、厚み３ミリのアクリルスポンジをスポンジ３としてスポンジ板１のウレタンスポンジに貼る。すると本発明品を得る。
この物は手のひらで握りやすい。トルマリンは固定されていないので、手指で握る運動するとザくザクという音がし、マッサージ感触を増加させる。
アクリルスポンジは皮膚刺激がないので好ましい。また、アクリルスポンジ自己粘着性があり艶紙やビニル面、硝子面、タイル面、鉄面に貼ったり剥がしたりできる。
【実施例２】
【００５８】  実施例２を図２で説明する。
スポンジ容器１２は図１と同様に製作する。すなわち、図１のスポンジ板１をスポンジ板２２とする。横３０ミリ縦８０ミリ、厚み１０ミリのウレタンスポンジである。これに同様に横２０ミリ縦５０ミリの孔３１を設ける。スポンジ２をスポンジ２３とする。すなわち横３０ミリ縦８０ミリ、厚み３ミリアクリルスポンジで貼る手段６（両面テープ）で貼る。３２５メッシュアンダーのトルマリン５を充填する。以上によりスポンジ容器１２を得る。
次にスポンジ板２０は横６０ミリ縦１１０ミリ、厚み１５ミリの固めのウレタンスポンジを選び、横６０ミリ縦１１０ミリ、厚み３ミリのアクリルスポンジをスポンジ板２１としてで貼る手段７（両面テープ）で貼りスポンジ蓋１１とする。
スポンジ容器１２にスポンジ蓋１１を合わせる。スポンジなので弾力性で填合する。貼る手段７（両面テープ）の余分がスポンジ板２２の縁と粘着する。
【実施例３】
【００５９】  図３の如くスポンジ原反に多数の孔４を打ち抜く。これを説明する
２平方メートルで厚みが５ミリのウレタンスポンジ板のスポンジ原反１００に５センチ四方の孔４を多数打ち抜く。
片面を両面粘着テープでスポンジ２のシートを貼り、孔を穴にする。この穴にトルマリン５の粉末または粒を充填する。さらに片面を両面粘着テープでスポンジ３のシートを貼り穴を塞ぐ。必要に応じ穴毎に切断する。
【実施例４】
【００６０】  活性炭、竹炭、備長炭、セラミック、角閃石、大谷石、菊花石、麦飯石、ゼオライト、医王石、放射線作用石、酸化チタン、金粉などはマイナスイオンや遠赤外線を放出する。またガス吸着反応や放射線放射や未知の波動などがある。これらはスポンジ内部にあれば粒粉と異なり使用上便利である。
実施例１においてトルマリン５に代えて上記の粉粒物を充填する。冷蔵庫の脱臭や鮮度保持材として利用できる。靴箱や箪笥でも脱臭や抗菌などに利用できる。
【産業上の利用可能性】
【００６１】  本発明品はスポンジ内部トルマリンが粉粒のまま固定されずに詰め込まれている。従来のトルマリン用途に応用できる。練り込み塗布、縫製、粘着貼物などで応用されているトルマリン用途に置き換えでき新しい応用も可能である。スポンジ利用の産業にトルマリン効果を応用できる。【００６２】  本発明の産業上の利用可能性の例を述べる。
スポンジにマイナスイオン発生や電磁波防止機能付与した素材の用途に利用できる。トルマリン入り家具、たたみ素材、足踏み健康スポンジ、マットレス、胸当てパッド、腹や腰当てスポンジ、美顔スポンジ、手指にぎりの健康スポンジ、壁面に貼るマイナスイオン剤や電磁波防止、剣山、靴の中敷などに利用できる。また、トイレや洋服ダンス、冷蔵庫、下駄箱に置くマイナスイオン剤、脱臭剤として利用できる。頭髪用キャップ、食品置用スポンジ、座布団や寝具のスポンジ、車両の座席用スポンジ、美容液染み込ませ用スポンジ、水質浄化用スポンジ、風呂水用トルマリン、スノコスポンジ、マッサージ具スポンジ、園芸用スポンジ、廃棄物処理スポンジ、農業用スポンジ、抱き人形などの詰物スポンジ、抱き枕詰物スポンジ、保温兼用マイナスイオン効果スポンジ、クッション兼用マイナスイオン効果スポンジなどである。【００６３】  本発明はトルマリンに置き換えて活性炭や竹炭から薬石、酸化チタンその他の粉粒をスポンジに充填できる。空気処理、排水処理、水処理、マイナスイオン処理、遠赤外線処理、吸着処理等のスポンジ体としても利用できる。本発明は産業上の利用可能性が大きい。
【図面の簡単な説明】
【００６６】
【図１】は本発明の側面図である。（実施例１）
【図２】は請求項４に係わる本発明の側面図である。
【図３】は製造工程の説明平面図である。
【図４】は本発明の産業上利用の説明斜視図である。
【図５】は本発明利用した用具や器具等の説明斜視図である。
【符号の説明】
【００６７】  符号の１はスポンジ、２はスポンジ、３スポンジ、４は孔、５はトルマリン、６と７は貼る手段であり、８はその他の粉粒体、９、１０は欠番である。
１１はスポンジ蓋、１２はスポンジ容器、１３はスポンジ箱体である。
また、２０、２１、２２、２３はスポンジ板である。さらに３０と３１は孔である。５１は粒粉部、１００は原反である。
【図１】
2005254788.tif 000003
【図２】
2005254788.tif 000004
【図３】
2005254788.tif 000005
【図４】
2005254788.tif 000006
【図５】
2005254788.tif 000007